【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
第１の成分と第２の成分とを含む光入力（２１０）を受け取るように配置された光セパレータ（２２０）であって、前記第１の成分を前記第２の成分から分離し、前記第１の成分を含む第１の光線（２２１）と前記第２の成分を含む第２の光線（２２２）とを発するように構成されている、という前記光セパレータと、そして、
エアギャップによって隔てられた２以上のプリズム補正器を有し、前記第１の光線を受け取るように配置された補正プリズムグループ（２４０）であって、第１のマイクロディスプレイ（２３１）によって受け取られるように前記第１の光線を送り出し、前記第１のマイクロディスプレイから変更後の第１の光線を受け取り、そして、補正後の光出力（２８２）を発する、という構成になっている前記補正プリズムグループとを有し、
前記補正後光出力は、前記変更後の第１の光線を含み、前記エアギャップは前記光セパレータで誘発される光学収差を補正すること、
を特徴とするカラーマネジメントシステム（２００）。
【請求項２】
前記光入力は、第１の面に方向付けされる偏光光と第２の面に方向付けされる偏光光とを含み、
前記光セパレータは、前記第１の面に方向付けされる前記光を前記第２の面に方向付けされる前期光から分離し、前記第１の面に方向付けされる前記光を含む第１の光線と前記第２の面に方向付けされる前記光を含む第２の光線と発するように構成された偏光ビームスプリッタで成ること、
を特徴とする請求項１に記載のカラーマネジメントシステム。
【請求項３】
前記第２の光線を含む補完的光出力と前記補正後光出力とから包括的光出力を形成するように構成された偏光ビームスプリッタを更に含むこと、
を特徴とする請求項２に記載のカラーマネジメントシステム。
【請求項４】
前記補正プリズムグループは一対のプリズム補正器で成ること、
を特徴とする請求項１に記載のカラーマネジメントシステム。
【請求項５】
前記補正プリズムグループは、傾斜した方向を示すこと、
を特徴とする請求項１に記載のカラーマネジメントシステム。
【請求項６】
前記補正プリズムグループはさらに、傾斜した方向を示す傾斜補正器プレートを含むこと、
を特徴とする請求項１に記載のカラーマネジメントシステム。
【請求項７】
前記補正プリズムグループは、前記偏光ビームスプリッタの等価光路長と実質的に等しい補正器等価光路長を示すように構成されていること、
を特徴とする請求項２に記載のカラーマネジメントシステム。
【請求項８】
前記偏光ビームスプリッタは、実質的にお互いに背を向ける方向を向いた有効面を有している一対の偏光ビームスプリッタで成ること、
を特徴とする請求項２に記載のカラーマネジメントシステム。
【請求項９】
前記一対の偏光ビームスプリッタは、お互いに対して傾斜していること、
を特徴とする請求項８に記載のカラーマネジメントシステム。
【請求項１０】
前記補正後光出力を受け取り、前記補正後光出力をイメージ表示のために投写する映写レンズを更に有すること、
を特徴とする請求項１に記載のカラーマネジメントシステム。
【請求項１１】
前記第２の光線を受け取るように配置されたイメージアシミレータを更に有し、
前記イメージアシミレータは、１以上のマイクロディスプレイによって受け取られるように前記第２の光線を送り出し、前記１以上のマイクロディスプレイから１以上の変更後の第２の光線を受け取り、そして、前記変更後の第２の光線を含む同化後光出力を発するように構成されており、
前記同化後光出力は、前記補完的な光出力を形成すること、
を特徴とする請求項１に記載のカラーマネジメントシステム。
【請求項１２】
前記イメージアシミレータは実質的な等路長プリズムであること、
を特徴とする請求項１１に記載のカラーマネジメントシステム。
【請求項１３】
前記補正プリズムグループは、前記イメージアシミレータと前記偏光ビームスプリッタとの組合せの等価光路長に実質的に等しい補正器等価光路長を示すように構成されていること、
を特徴とする請求項１２に記載のカラーマネジメントシステム。
【請求項１４】
前記第２の光線は第３の成分を含み、
前記イメージアシミレータは、前記第２の成分を前記第３の成分から分離し、前記第２の成分を含む第２の光線を発し、そして、前記第３の成分を含む第３の光線を発するように構成されており、
前記第２の光線は第２のマイクロディスプレイによって受け取られ、前記第３の光線は第３のマイクロディスプレイによって受け取られ、
前記イメージアシミレータはさらに、前記第２のマイクロディスプレイからの変更後の第２の光線を受け取り、前記第３のマイクロディスプレイから変更後の第３の光線を受け取るように構成されており、
前記同化後光出力は前記変更後の第２の光線と前記変更後の第３の光線とを含むこと、
を特徴とする請求項１１に記載のカラーマネジメントシステム。
【請求項１５】
前記イメージアシミレータはダイクロイックプリズムで成ること、
を特徴とする請求項１４に記載のカラーマネジメントシステム。
【請求項１６】
前記補正後光出力を受け取るように配置された出力フィルタを更に有し、
前記出力フィルタは、単一の面に方向付けられた光を含むフィルタ処理補正後光出力を生成するように構成されていること、
を特徴とする請求項１に記載のカラーマネジメントシステム。
【請求項１７】
前記出力フィルタは、前記補正後光出力を回転させるように構成されていること、
を特徴とする請求項１６に記載のカラーマネジメントシステム。
【請求項１８】
前記出力フィルタは、前記補完的光出力を回転させるように構成されていること、
を特徴とする請求項１６に記載のカラーマネジメントシステム。
【請求項１９】
前記フィルタ処理補正後光出力を受け取るように配置されたアナライザを更に有し、
前記アナライザは、前記フィルタ処理補正後光出力と比較してコントラストの向上した、鋭くされた補正後光出力を生成するように構成されていること、
を特徴とする請求項１６に記載のカラーマネジメントシステム。
【請求項２０】
前記アナライザは、あらかじめ決められた波長の光を前記フィルタ処理補正後光出力から除去するように構成されていること、
を特徴とする請求項１９に記載のカラーマネジメントシステム。
【請求項２１】
前記補完的光出力を受け取るように配置されたアナライザを更に有し、
前記アナライザは、前記補完的光出力が向上したコントラストを示すようにする構成となっていること、
を特徴とする請求項１に記載のカラーマネジメントシステム。
【請求項２２】
前記光セパレータは、光入力を受け取り、前記光入力の成分を選択的に回転させることで、第１の面に方向付けされる光と第２の面に方向付けされる光とを含む偏光光入力を生成するように構成された入力フィルタを含み、
前記光セパレータはさらに、前記第２の面に方向付けされる前記光から前記第１の面に方向付けされる前期光を分離し、前記第１の面に方向付けされる前記光を含む第１の光線と前記第２の面に方向付けされる前記光を含む第２の光線と発するように構成された偏光ビームスプリッタを含むこと、
を特徴とする請求項１に記載のカラーマネジメントシステム。
【請求項２３】
前記光セパレータは、前記第１の成分を前記第２の成分から分離するように構成されたダイクロイックミラーで成ること、
を特徴とする請求項１に記載のカラーマネジメントシステム。
【請求項２４】
前記第１の光線を、前記第１のマイクロディスプレイによって受け取られる前に受け止めるように配置された１以上の視野レンズを更に有し、
前記１以上の視野レンズは、前記第１の光線の断面の径を小さくするように構成されていること、
を特徴とする請求項１に記載のカラーマネジメントシステム。
【請求項２５】
前記イメージアシミレータは、前記第２の光線を受け取り、前記第２の光線の成分を選択的に回転させることで、第１の面に方向付けされる光と第２の面に方向付けされる光とを含む偏光光線を生成するように構成されたアシミレータ入力フィルタを更に有し、
前記イメージアシミレータは更に、前記第２の面に方向付けされた前記光から前記第１の面に方向付けされる前記光を分離することで前記第２の成分を前記第３の成分から分離するように構成された、偏光ビームスプリッタを有すること、
を特徴とする請求項１４に記載のカラーマネジメントシステム。
【請求項２６】
前記イメージアシミレータからの前記第２の光線を受け取り、強化後の第２の光線を前記１以上のマイクロディスプレイによって受け取られる形で発するように配置された遅延プレートを更に有すること、
を特徴とする請求項１１に記載のカラーマネジメントシステム。
【請求項２７】
前記光セパレータは、第１のダイクロイックミラーと第２のダイクロイックミラーとで成り、
前記第１のダイクロイックミラーは、前記光入力を受け取るように配置されているとともに、前記第１の成分を前記第２の成分から分離し、前記第１の成分を含む第１の光線と前記第２の成分を含む第２の光線とを発するように構成されており、
前記第２のダイクロイックミラーは、前記第２の光線を受け取るように配置されているとともに、前記第２の成分を前記第３の成分から分離し、前記第２の成分を含む品質の高められた第２の光線と前記第３の成分を含む第３の光線とを発するように構成されており、
前記第１の光線は、第１の偏光光線を生成するように構成された第１の偏光子によって受け取られることとなっており、前記品質の高められた第２の光線は、第２の偏光光線を生成するように構成された第２の偏光子によって受け取られることとなっており、前記第３の光線は、第３の偏光光線を生成するように構成された第３の偏光子によって受け取られることとなっており、
前記カラーマネジメントシステムは、前記第１の偏光光線を受け取るように配置され、前記イメージアシミレータによって受け取られる偏光赤色光線を発するように構成された赤色光弁を更に有し、また、前記カラーマネジメントシステムは、前記第２の偏光光線を受け取るように配置され、前記イメージアシミレータによって受け取られる偏光青色光線を発するように構成された青色光弁を更に有し、また、前記カラーマネジメントシステムは、前記第３の偏光光線を受け取るように配置され、前記補正プリズムグループによって受け取られる偏光緑色光線を発するこように構成された緑色光弁を更に有すること、
を特徴とする請求項１４に記載のカラーマネジメントシステム。
【請求項２８】
前記イメージアシミレータは、前記第２の成分と前記第３の成分とを含む区分化光出力を生成するように構成された偏光フィルタを有し、
前記第２の成分の方向は、前記第３の成分の方向に対して直角となるように回転させられ、
前記イメージアシミレータは更に、前記偏光フィルタから前記区分化光出力を受け取るように配置された埋め込み偏光ビームスプリッタを有し、
前記埋め込み偏光ビームスプリッタは、前記第２の成分を前記第３の成分から分離し、前記第２の成分を含む前記第２の光線を発し、そして、前記第３の成分を含む前記分別された第３の光線を発するように構成されていること、
を特徴とする請求項１１に記載のカラーマネジメントシステム。
【請求項２９】
前記分離偏光ビームスプリッタは、前記第１の光線を第１の方向に発し、前記第２の光線を第２の方向に発するように構成されており、
前記第２の方向は前記第１の方向に対して実質的に直角となること、
を特徴とする請求項２に記載のカラーマネジメントシステム。
【請求項３０】
前記分離偏光ビームスプリッタは、前記第２の光線を送り出し、前記第１の光線を反射するように構成されていること、
を特徴とする請求項２に記載のカラーマネジメントシステム。
【請求項３１】
投写システム用にカラーマネジメントを実現する方法であって、
第１の成分と第２の成分とを含む光入力（２１０）を受け取り、前記第１の成分を前記第２の成分から分離して、前記第１の成分を含む第１の光線（２２１）と前記第２の成分を含む第２の光線（２２２）とを発するステップと、
前記第１の光線を受け取り、第１のマイクロディスプレイ（２３１）によって受け取られるように前記第１の光線を送り出し、前記第１のマイクロディスプレイから変更後の第１の光線を受け取り、そして補正後光出力（２８２）を発するステップであって、前記補正後光出力は、前記変更後の第１の光線を含み、補正プリズムグループ（２４０）の等価光路長の補正特性を示すものである、というステップと、
前記第２の光線を受け取り、１以上のマイクロディスプレイによって受け取られるように前記第２の光線を送り出し、前記１以上のマイクロディスプレイから１以上の変更後の第２の光線を受け取り、同化後光出力（６８５）を発するステップであって、前記同化後光出力は前記１以上の変更後の第２の光線を含み、プリズム（４５０，５５０）の等価光路長のアシミレータ特性を示すものである、というステップと、そして、
前記同化後光出力と前記補正後光出力とを受け取り、前記同化後光出力と前記補正後光出力とを含む包括的光出力（２９０）を発するステップと、を有し、
前記補正後光出力の前記補正特性は前記同化後光出力の前記アシミレータ特性を補正するように構成されていること、
を特徴とする方法。
【請求項３２】
２つの光成分を分離し、それと共に前記光成分における収差を修正する光セパレータであって、お互いに関して傾斜し、実質的にお互いに背を向ける方向を向くように方向付けされた有効面（３３１，３３２）を有する複数の偏光ビームスプリッタ（３２１，３２２）を有している、という前記光セパレータ。